(57)【特許請求の範囲】
【請求項１】
電子源と、前記電子源から放出される一次電子線を複数の集束レンズ群によって集束し
て試料上で走査する光学系と、前記一次電子線の走査によって試料から発生する二次信号
電子を検出する検出手段とを有し、前記検出手段の検出信号を用いて試料像を形成する走
査型電子顕微鏡において、
偏向コイルの内側に偏向電極を重畳的に配置した構造をそれぞれが有し、前記一次電子線の光軸に沿って二段に配置される第１及び第２の電磁界偏向器と、
前記第１及び第２の前記電磁界偏向器に発生させる電磁界を制御する制御手段と
を有し、  
前記第１及び第２の電磁界偏向器はそれぞれ、前記一次電子線に対しては電界の偏向作用と磁界の偏向作用が相殺される一方で、前記二次信号電子に対しては偏向作用が働く電界及び磁界を重畳させるオフセット電流及びオフセット電圧と、前記偏向コイル又は前記偏向電極に発生される前記一次電子線の偏向走査用及び／又はイメージシフト用の電界又は磁界とを、前記偏向コイル及び前記偏向電極に重畳的に発生するものであり、
前記第１及び第２の電磁界偏向器による前記二次信号電子の偏向方向は互いに逆向きに制御され、かつ、下段側に位置する前記第２の電磁界偏向器による前記二次信号電子の偏向角は、上段側に位置する前記第１の電磁界偏向器による前記二次信号電子の偏向角と同じ又はそれよりも大きく制御される
ことを特徴とする走査型電子顕微鏡。
【請求項２】
請求項１に記載の走査型電子顕微鏡において、
前記二次信号電子は、前記第１及び第２の電磁界偏向器により発生される直交電磁界により偏向される
ことを特徴とした走査型電子顕微鏡。
【請求項３】
請求項１又は２に記載の走査型電子顕微鏡において、
前記二次信号電子の検出手段は、
前記二次信号電子が衝突した反射板より発生される変換二次電子を信号検出器に導く電
磁界直交偏向器を有する
ことを特徴とする走査型電子顕微鏡。
【請求項４】
請求項１又は２に記載の走査型電子顕微鏡において、
前記二次信号電子の検出手段は、
前記オフセット電流及び前記オフセット電圧の印加により発生される電磁界により偏向
された二次信号電子が直接衝突する信号検出器を有する
ことを特徴とする走査型電子顕微鏡。
【請求項５】
請求項１に記載の走査型電子顕微鏡において、
前記第１及び第２の電磁界偏向器は、前記一次電子線の高加速時又は低倍率観察時の際、前記第１及び第２の電磁界偏向器における前記二次信号電子の偏向方向を互いに同じ向きに制御する
ことを特徴とする走査型電子顕微鏡。
【請求項６】
請求項１又は２に記載の走査型電子顕微鏡において、
前記第１及び第２の電磁界偏向器でイメージシフト用の電界又は磁界が発生されている場合に、イメージシフト位置に応じて前記第１及び第２の電磁界偏向器に与えるオフセット電流及びオフセット電圧を制御し、前記二次信号電子を所定方向に偏向制御する
ことを特徴とする走査型電子顕微鏡。
【請求項７】
請求項４に記載の走査型電子顕微鏡において、
前記信号検出器に対する前記二次信号電子の進行路上に負電位を印加制御できる電極を
配置し、エネルギーが高い二次信号電子を選択的に検出する
ことを特徴とする走査型電子顕微鏡。
【請求項８】
請求項４に記載の走査型電子顕微鏡において、
複数の前記信号検出器をエネルギーが異なる二次信号電子の検出用に対応付け、各信号
検出器を二次信号電子が有するエネルギーの違いにより生じる偏向量の違いが現れる領域
に別々に配置する
ことを特徴とする走査型電子顕微鏡。
【請求項９】
電子源と、前記電子源から放出される一次電子線を複数の集束レンズ群によって集束し
て試料上で走査する光学系と、前記一次電子線の走査によって試料から発生する二次信号
電子を検出する検出手段とを有し、前記検出手段の検出信号を用いて試料像を形成する走
査型電子顕微鏡の制御方法において、
偏向コイルの内側に偏向電極を重畳的に配置した構造をそれぞれが有し、前記一次電子線の光軸に沿って二段に配置される第１及び第２の電磁界偏向器のそれぞれに、
前記一次電子線に対しては電界の偏向作用と磁界の偏向作用が相殺される一方で、前記
二次信号電子に対しては偏向作用が働く電界及び磁界を重畳させるオフセット電流及びオ
フセット電圧と、前記偏向コイル又は前記偏向電極に発生される前記一次電子線の偏向走
査用及び／又はイメージシフト用の電界又は磁界とを重畳的に発生すると共に、前記第１及び第２の電磁界偏向器による前記二次信号電子の偏向方向を互いに逆向きに制御し、かつ、下段側に位置する前記第２の電磁界偏向器による前記二次信号電子の偏向角を、上段側に位置する前記第１の電磁界偏向器による前記二次信号電子の偏向角と同じ又はそれよりも大きく制御する
ことを特徴とする走査型電子顕微鏡の制御方法。
【発明の詳細な説明】
【技術分野】
【０００１】
本発明は、走査型電子顕微鏡に関し、例えば集束した一次電子線で試料表面を走査する各種の電子顕微鏡の制御技術に関する。
【背景技術】
【０００２】
試料表面の観察には、一般に、走査型電子顕微鏡（ＳＥＭ：Scanning Electron Microscope）が使用される。ＳＥＭは、例えば電界放出型の電子源から放出される一次電子線を加速した後、静電または磁界レンズで集束し、試料表面にスポットビームを形成する。このスポットビームを試料表面上で二次元的に走査すると、スポットビームの入射位置から二次電子、反射電子等の二次信号電子が発生する。ＳＥＭは、この二次信号電子を検出し、その信号強度を一次電子線の走査と同期走査されるモニターの輝度変調入力とする。この結果、モニターには、試料表面の二次元走査像（ＳＥＭ像）が表示される。
【０００３】
近年、半導体デバイスの微細化が進んでいる。これに伴い、半導体デバイスの検査にも、光学顕微鏡の代わってＳＥＭが用いられ始めている。代表的な装置には、微細な回路パターンを有する基板（ウェハ）のパターンを測長する測長ＳＥＭ、ウェハ上の欠陥や異物を検査するレビューＳＥＭ等がある。
【０００４】
半導体デバイスは、(1) シリコン基板上にレジストを塗布し、フォトマスクを使って特定のパターンを転写するリソグラフィ工程と、(2) パターン通りにシリコン基板を微細加工するエッチング工程との繰り返しにより製造される。このため、製造される半導体デバイスの歩留まりの向上には、製造プロセスの安定稼働が必須である。そのためには、インライン検査によって欠陥を早期に発見し、不良を解決することが必要不可欠である。
【０００５】
このような状況の中、測長ＳＥＭやレビューＳＥＭにおいては、高速かつ高Ｓ/Ｎで取得された画像を迅速に解析し、検査または計測できることが求められている。また、ムーアの法則に従って微細化が進む半導体デバイスでは、近年、微細化と共に更なる高集積化を進めるために３次元的立体構造を有する新たなデバイスが開発されている。３次元的立体構造には、深い溝のライン＆スペース、高アスペクトのコンタクトホール等がある。このため、検査装置や計測装置においても、このような新しいデバイスに対して、信頼性の高い検査や計測を実現できる仕組みが求められている。
【０００６】
ＳＥＭで取得される画像は、電子ビームのランディングエネルギー、照射電流量、試料帯電の状態、ＳＥＭ光学系の対物レンズが形成する電位分布、磁界分布などに依存するとともに、検出系の形態によっても大きく依存する。また、試料から放出される電子の放出エネルギー、放出角度を選択的に取得すれば、ＳＥＭ像として、特定のコントラスト像を取得できることが知られている。代表的なコントラスト像には、試料表面の凹凸情報を反映させた陰影コントラスト像、試料の帯電状態を反映させた電位コントラスト像、材料の二次電子放出比の違いを反映させた材料コントラスト像などがある。新構造、新材料の半導体デバイスに対しても、試料から放出される２次電子や反射電子などの信号電子の検出効率を向上することが高Ｓ／Ｎ像を取得する上で重要である。また、特定の信号を取捨選択することにより、検査、計測ニーズに合致した画像を提供することができる。
【０００７】
一方、半導体デバイスにおいては、試料にダメージを与えないように数百ｅＶから１ｋｅＶ程度の低照射エネルギーで高分解能を実現することが求められている。これに伴い、検査装置や計測装置におけるＳＥＭ光学系の設計も最適化されている。例えば試料に負電位（リターディング電圧）を印加する手法の採用がある。この場合、電子源から放出された高エネルギーの一次電子線は、数百ｅＶから１ｋｅＶ程度に減速された状態で試料に照射される。従って、試料ダメージを抑制しつつ高分解能化を実現することができる。また、対物レンズに正電位の電極（ブースティング電極）を配置する手法の採用がある。この場合、一次電子は、高加速状態で対物レンズ内を通過し、高分解能化が実現される。
【０００８】
これらの装置構成の場合、試料から放出される２次電子や反射電子などの二次信号電子は、リターディング電位やブースティング電極によって加速され、対物レンズの上方に引き上げられる。このため、対物レンズよりも上方に配置した信号検出器で信号を取得するＴＴＬ（Through The Lens）方式が一般的である。
【０００９】
このようなＴＴＬ方式のＳＥＭ検出系に適する技術には、特許文献１及び２に記載される技術がある。すなわち、電磁界直交型偏向器（ＥｘＢ偏向器またはウィーンフィルタ）によって一次電子線と二次信号電子を分離する技術がある。図２の上段に、ＥｘＢ偏向器２００の配置構成を示す。ＥｘＢ偏向器２００は、一対の偏向電極２０５と一対の偏向コイル２１０を、一次電子線に対して直交するように配置する。この配置により、図２の下段に示すように、一次電子線２２０に対して電界Ｅの向きと磁界Ｂの向きが直交する方向に作用する。ＥｘＢ偏向器２００では、電界Ｅと磁界Ｂの大きさが最適化されている。これにより、一次電子線２２０に作用する偏向作用は相殺される一方で、二次信号電子２３０だけは信号検出器の側に導かれるように偏向される。すなわち、一次電子線２２０の軸外収差を抑制しつつ、二次信号電子２３０だけを光軸から離軸させて信号検出器で検出することができる。
【００１０】
図３に、ＴＴＬ方式のＳＥＭ検出系にＥｘＢ偏向器を採用した従来構成例を示す。図に示すように、一次電子線４は対物レンズ７で集束されて試料１０に衝突する。これにより、二次電子や反射電子などの二次信号電子１２（図中、太線矢印で示す。）が発生する。二次信号電子１２は、試料１０からの放出角度及び放出エネルギーの違いにより、ある広がりを持った二次信号電子群２２として対物レンズ７の上方に加速される。この際、二次信号電子群２２は、上方に末広がりに進行する。この二次信号電子群２２は、反射板９に試料面側から衝突する。この衝突により、低エネルギーの変換二次電子１５が発生する。この低エネルギーの変換二次電子１５は、ＥｘＢ偏向器１６による偏向作用により信号検出器１７に進行方向が偏向される。なお、図中、１３は偏向コイルであり、１９は加速電極である。
【００１１】
図４に、他の従来構成例を示す。図４は、信号検出器１７よりも試料寄りにＥｘＢ偏向器１６を配置する装置を表している。この場合、信号検出器１７は、ＥｘＢ偏向器１６で偏向された二次信号電子１２を直接検出することができる。ただし、この検出を実現するには、一次電子線４の光軸に対する二次信号電子１２の離軸量が大きい必要がある。このため、大きい偏向量を可能とする強電磁界の発生がＥｘＢ偏向器１６に必要となる。しかし、この強電磁界は一次電子線４にも作用する。すなわち、一次電子線４に対しても異なる方向に引き合う作用が大きくなる。この結果、一次電子線４の色収差が増大し、分解能の劣化が発生する。そこで、色収差を相殺するように、更にもう一つのＥｘＢ偏向器２０を配置し、色収差を打消すような手法が採用されている。
【先行技術文献】
【特許文献】
【００１２】
【特許文献１】特開２００１−１４２０４５号公報
【特許文献２】特開２００１−３３２０３８号公報
【発明の概要】
【発明が解決しようとする課題】
【００１３】
ところが、従来構成には、以下に示すような技術的に改善すべき点がある。例えば図３のＳＥＭの場合、二次信号電子１２の検出ロスが発生する。この検出ロスは、試料１０から垂直方向に進行する二次信号電子１２が反射板９に形成された孔をそのまま通過することで発生する。孔をそのまま通過する二次信号電子１２は変換二次信号１５を発生させないためである。このことは、信号検出器１７が、試料１０の表面からほぼ光軸に沿って戻ってくる二次信号電子１２を検出できないことを意味する。結果的に、例えば高アスペクト比を有するコンタクトホール等のように深い穴底から垂直方向に進行する二次信号電子１２を信号検出器１７は検出することができず、必要な情報が損失してしまう。
【００１４】
一方、図４のＳＥＭの場合、高エネルギーを有する二次信号電子１２の軌道を一次電子線の光軸から大きく偏向する必要がある。偏向角を大きくするには、大きな電圧と電流が必要である。そこで、電界及び磁界の発生に必要な電圧及び電流を低減するためにも、ＥｘＢ偏向器１６を試料１０の近くに配置することが望まれる。ところが、ＴＴＬ方式のＳＥＭ光学系は、試料１０に印加するリターディング電圧や対物レンズ内に配置したブースティング電極に印加する高電圧を試料１０の近くに印加する。このため、対物レンズ７の近傍にＥｘＢ偏向器１６を配置することは、耐電圧設計の観点から難しい。また、ＴＴＬ方式のＳＥＭ光学系は、リターディング電位やブースティング電極が形成する静電レンズにより一次電子線の制御を最適化する。このため、対物レンズ内にＥｘＢ偏向器を配置することは設計上容易でない。さらに、ＥｘＢ偏向器１６を対物レンズの上方に配置する場合、検出可能な量まで二次信号電子１２を離軸するには、ＥｘＢ偏向器１６から信号検出器１７までの距離が十分長いことが必要になる。このため、ＳＥＭ光学系の鏡体長が長くならざるを得ない。さらに、二次信号電子分離用のＥｘＢ偏向器１６に加え、色収差打消し用のＥｘＢ偏向器２０を配置する場合（図４）には、更に鏡体長を長くする必要がある。しかし、鏡体長が長くなると、振動特性などの環境性能に対する影響が大きくなる。また、ＥｘＢ偏向器を鏡体内に２つ配置すると、製作部品の数や制御電源の数が増加し、製造コストが増加する。
そこで、本発明者は、小型でありながら検出効率が高い二次信号電子検出系を実現する。
【課題を解決するための手段】
【００１５】
本発明は、一次電子線に対する偏向作用が相殺される一方で、試料から発生する二次信号電子に対しては偏向作用が働く電界及び磁界を、一次電子線の偏向走査及び／又はイメージシフトする電界又は磁界を重畳的に発生する、偏向コイルの内側に偏向電極を重畳的に配置した電磁界偏向器を有する走査型電子顕微鏡を提供する。
【発明の効果】
【００１６】
本発明によれば、一次電子線の偏向走査に使用する電界又は磁界空間内で一次電子線から二次信号電子のみを分離することができる。すなわち、一次電子線の偏向走査と二次信号電子の分離を光軸上の同一空間内で実現可能とする。
【図面の簡単な説明】
【００１７】
【図１】形態例に係る走査型電子顕微鏡の概略構成を示す図。
【図２】電磁界直交側偏向器（ＥｘＢ偏向器）の構造と動作原理を説明する図。
【図３】反射板を用いる間接型検出系の概略構成を説明する図（従来例）。
【図４】二次信号電子を直接分離する直接型検出系の概略構成を説明する図（従来例）。
【図５】走査重畳型ＥｘＢ偏向器を間接型検出系に適用した構成を示す図。
【図６】走査重畳型ＥｘＢ偏向器を光軸方向から見た図。
【図７】走査重畳型ＥｘＢ偏向器の制御信号例を説明する図。
【図８】走査重畳型ＥｘＢ偏向器を直接型検出系に適用した構成を示す図。
【図９】二段構成の走査重畳型ＥｘＢ偏向器による二段階の偏向動作を説明する図。
【図１０】走査重畳型ＥｘＢ偏向器をイメージシフト動作に連動させる例を説明する図。
【図１１】走査重畳型ＥｘＢ偏向器を用いた二次信号電子の分別方法を説明する図。
【図１２】走査重畳型ＥｘＢ偏向器を用いた二次信号電子の他の分別方法を説明する図。
【図１３】走査重畳型ＥｘＢ偏向器を用いた二次信号電子の他の分別方法を説明する図。
【発明を実施するための形態】
【００１８】
以下、図面を用いて本発明の実施の形態を説明する。
【００１９】
（実施例１）
（装置の構成）
図１に、実施例に係るＳＥＭの構成例を示す。なお、以下の実施例は、いずれもＳＥＭを前提に説明するが、本発明は、走査型透過電子顕微鏡（ＳＴＥＭ：Scanning Transmission Electron Microscope）への適用も可能である。また、本実施例の場合には、二次信号電子の分離に反射板を使用する間接型検出系を実装するＳＥＭについて説明する。
【００２０】
陰極１と第一陽極２の間には、高電圧制御電源３０から引き出し電圧が印加される。この引き出し電圧により、所定のエミッション電流が陰極１から引き出される。なお、引き出し電圧の大きさは、制御演算装置４０（制御プロセッサ）により制御される。陰極１と第二陽極３の間には、高電圧制御電源３０から加速電圧が印加される。陰極１から放出された一次電子線４はこの加速電圧により加速され、後段のレンズ系に導かれる。なお、加速電圧の大きさは、制御演算装置４０により制御される。
【００２１】
一次電子線４は、集束レンズ５によって集束される。集束レンズ５は、集束レンズ制御電源３１により制御される。なお、集束レンズ制御電源３１は、制御演算装置４０により制御される。集束レンズ５を通過した一次電子線４は、絞り板８に入射する。この絞り板８は、一次電子線４のうち不要な領域を除去するために用いられる。このため、絞り板８の中央部分には、所定の大きさの孔が形成されている。絞り板８を通過した一次電子線４は、集束レンズ６及び対物レンズ７により試料１０の表面に微小スポットとして集束される。集束レンズ６は、集束レンズ制御電源３２により制御される。また、対物レンズ７は、対物レンズ制御電源３６により制御される。また、集束レンズ制御電源３２と対物レンズ制御電源３６は、いずれも制御演算装置４０により制御される。
【００２２】
図１に示すＳＥＭは、一次電子線４を減速して（すなわち、低エネルギー化して）試料１０に照射し、試料ダメージを抑制しつつ高分解能化を実現するリターディング電圧印加方式に対応する。すなわち、試料台１１を介して試料１０に負電圧（リターディング電圧）を印加して一次電子線４を減速させる方式に対応する。なお、試料１０に与える負電圧は、試料印加電源３７より与えられる。また、図１に示すＳＥＭは、対物レンズ７の磁界中で一次電子線４を加速し、高分解能化を実現するブースティング電圧印加方式にも対応する。すなわち、対物レンズ７の加速電極１９に正の電圧を印加して一次電子線４を加速する方式に対応する。なお、正電圧は、加速電極電源３８より与えられる。試料印加電源３７及び加速電極電源３８も、制御演算装置４０により制御される。
【００２３】
一次電子線４は、走査用の偏向コイル１３により試料１０に対して二次元的に走査される。偏向コイル１３は、偏向コイル制御電源３３により制御される。この実施例の場合、偏向コイル１３は、光軸方向に対して二段に配置される。偏向コイル１３は、観察倍率の変更にも用いられる他、試料上を走査しながら観察位置を移動する用途（いわゆるイメージシフト）にも用いられる。
【００２４】
偏向コイル１３の内側（光軸上の同じ位置）には、対応する偏向電極１４が重畳的に配置される。偏向電極１４は、偏向電極制御電源３４により制御される。偏向コイル制御電源３３と偏向電極制御電源３４は、制御演算装置４０により制御される。本明細書においては、この偏向コイル１３の内側に偏向電極１４を重畳配置した構造の電磁界偏向器を、従来型のＥｘＢ偏向器と区別するために「走査重畳型ＥｘＢ偏向器」と呼ぶ。
【００２５】
この実施例の場合、偏向コイル１３には、走査用の電流とオフセット電流を重畳した電流が供給される。このため、偏向コイル１３には、オフセット電流に走査用の電流を合成した電流に応じて変化する磁界Ｂが発生される。偏向電極１４には、磁界Ｂに直交する向きに電界Ｅを発生させるようにオフセット電圧が印加される。オフセット電流とオフセット電圧の大きさは、それぞれに応じて発生される磁界Ｂと電界Ｅによる偏向作用が一次電子線４では相殺され、二次信号電子１２に限り作用するように定められる。
【００２６】
なお、前述の例とは異なり、電界型の偏向電極１４を走査用の偏向器として使用することもできる。その場合にも、偏向電極１４に印加されるオフセット電圧と偏向コイル１３に供給されるオフセット電流を適切に制御することにより、一次電子線４から二次信号電子１２だけを分離することができる。また、この実施例を含め、偏向コイル１３及び偏向電極１４で構成される走査重畳型ＥｘＢ偏向器が光軸方向に２段配置される構成について説明する。しかし、後述するように２段構成の走査重畳型ＥｘＢ偏向器を前提とする実施例以外は、走査重畳型ＥｘＢ偏向器が１段だけの構成でも良い。
【００２７】
一次電子線４の入射により試料１０から発生した二次電子、反射電子等の二次信号電子２３は、対物レンズ７による引上げ磁界又は試料１０に印加されたリターディング電位や加速電極１９に印加したブースティング電位による引上げ電界の作用を受けて対物レンズ７の上方に進行する。このとき、二次信号電子２３は、偏向コイル１３と偏向電極１４が形成する直交電磁界を通過する。前述したように、ここでの直交電磁界は、二次信号電子２３のみを偏向するように作用し、二次信号電子２３を一次信号線４の光軸から離軸させる。
【００２８】
離軸した二次信号電子２３は反射板９に衝突し、変換二次電子１５に変換される。ここで注目すべきは、二次信号電子２３及び二次信号電子群２４の全てを反射板９に入射させることができる点である。このことは、図３に示した従来型のＳＥＭと同サイズの鏡体においても、検出精度が向上できることを意味している。なお、反射板９には一次電子線４を通過させる所定サイズの孔が形成されている。
【００２９】
試料側に飛び出した変換二次電子１５は、反射板９の試料側に配置されたＥｘＢ偏向器１６により偏向され、信号検出器１７において検出される。ＥｘＢ偏向器１６の直交電磁界は、一次電子線４に対する偏向作用を相殺し、変換二次電子２３のみに偏向作用が及ぶように制御されている。信号検出器１７の検出信号は信号増幅器１８で増幅された後、制御演算装置４０を通じて画像メモリ４１に転送される。画像メモリ４１に格納された検出データは、一次信号線の走査と同期して走査される像表示装置４２にＳＥＭ像として表示される。なお、制御演算装置４０は、記憶装置４３にレシピその他の検査に必要なデータを格納する。
【００３０】
図５に、本実施例に係る間接検出型の二次信号電子検出系の詳細構成を示す。まず、走査重畳型ＥｘＢ偏向器が一次電子線の偏向のみに使用される場合における二次信号電子の軌道を説明する。すなわち、オフセット電圧とオフセット電流が、走査重畳型ＥｘＢ偏向器に印加されていない場合における二次信号電子の軌道を説明する。
【００３１】
この場合、試料１０から陰極１（電子源）側に上がってくる二次電子や反射電子は、試料１０からの放出角度や放出エネルギーの違いによりある広がりを持つ。このため、図５においては、この広がりを二次信号電子群２２（波線）として図示する。また、二次信号電子群２２の中心軌道を二次信号電子１２（点線）として図示する。
【００３２】
図５に示すように、オフセット電圧とオフセット電流が印加されない場合、二次信号電子１２は、反射板９に形成された孔をそのまま通過する。従って、この場合、信号検出器１７は、二次信号電子１２に起因した変換二次電子を検出することができない。
【００３３】
一方、走査重畳型ＥｘＢ偏向器にオフセット電圧とオフセット電流が走査信号に対して重畳的に印加される場合、二次信号電子１２と二次信号電子群２２は、走査重畳型ＥｘＢ偏向器の内部空間で偏向される。偏向後の二次信号電子１２と二次信号電子群２２は、それぞれ二次信号電子２３と当該二次信号電子２３を中心起動に持つ二次信号電子群２４となる。図５に示すように、二次信号電子２３と二次信号電子群２４は、全て反射板９に衝突し、変換二次電子１５を発生する。このため、二次信号電子１２の検出ロスを回避することができる。
【００３４】
もっとも実際には、一次電子線４は、試料１０上を走査するために対物レンズ７の中心磁界を通るように振り戻し制御される。このため、特に大角偏向で低倍率のＳＥＭ像を取得する場合、一次電子線４は光軸から大きく離軸した軌道を持つ。従って、厳密には、走査重畳型ＥｘＢ偏向器の電界及び磁界が一次電子線４の走査軌道に影響を与える。このため、ＳＥＭ像の外周部に偏向歪みが生じたり、当該領域部分の色収差が増大する可能性がある。結果的に、分解能が劣化する可能性がある。
【００３５】
従って、望ましい実施例においては、偏向歪みが生じるような低倍率時には、走査重畳型ＥｘＢ偏向器の制御を切り（オフセット電圧及びオフセット電流の印加を停止し）、偏向歪みが生じない高倍率時にのみ走査重畳型ＥｘＢ偏向器による電磁界制御を実行すれば良い。なお、低倍率においては、一次電子線４のビームスポット径よりも画素分解能の方がＳＥＭ分解能として支配的である。従って、画素分解能＞ビームスポット径となる領域、つまりビームスポット径の色収差による劣化が像分解能に影響のない倍率では、走査重畳型ＥｘＢ偏向器による電磁界制御を実施しても良い。これらの電磁界制御の切り替えは、制御演算装置４０により実現すれば良い。
【００３６】
（走査重畳型ＥｘＢ偏向器の詳細構成と制御動作）
図６及び図７を使用して、走査重畳型ＥｘＢ偏向器の構成と制御を説明する。図６は、走査重畳型ＥｘＢ偏向器を、陰極１（電子源）側から試料側を見た場合におけるｘｙ平面上の偏向コイル１３と偏向電極１４の配置構成例を示している。図６の（ａ）と（ｂ）は、４極の偏向コイル１３と４極の偏向電極１４で構成される走査重畳型ＥｘＢ偏向器の構成例を示している。２極の偏向コイル１３と２極の偏向電極１４が、ｘ軸方向とｙ軸方向のそれぞれについて対面するように配置されている。この走査重畳型ＥｘＢ偏向器は、対をなす２極の間に発生する電界Ｅと磁界Ｂが直交するように、互いに直交する位置の２極に電流と電圧が印加される。
【００３７】
図６の（ａ）は、ｘ軸のマイナス側に二次信号電子を偏向するための印加電圧と印加電流の制御例を示している。この場合、図示するように、ｘ軸のプラス方向に電界の向きが発生するように偏向電極１４の電圧を制御し、同時に、ｙ軸のマイナス方向に磁界の向きが発生するように偏向コイル１３の電流を制御する。
【００３８】
図６の（ｂ）は、ｙ軸のプラス側に二次信号電子を偏向するための、印加電圧と印加電流の制御例を示している。この場合、図示するように、ｙ軸のマイナス方向に電界の向きが発生するように偏向電極１４の電圧を制御し、同時に、ｘ軸のマイナス方向に磁界の向きが発生するように偏向コイル１３の電流を制御する。
【００３９】
このように、直交する電界の向きと磁界の向きを適切に制御することにより、一次電子線４が偏向作用を受けない状態で、二次信号電子１２だけをあらゆる方向及び角度で偏向できる。このことは、ＳＥＭの鏡体内に複数の検出器を配置する場合にも、電圧と電流の制御だけにより、信号検出器の位置に合わせて自由に偏向角度を変えることができることを意味する。なお、筐体内に配置する信号検出器が１つの場合にも、信号検出器の配置位置の自由度が従来装置に比して格段に向上する。
【００４０】
なお、偏向コイル１３と偏向電極１４の構成は、図６の（ａ）及び（ｂ）に示す４極子に限らない。例えば図６の（ｃ）に示すように、多極子を用いた構成でも良い。因みに、図６の（ｃ）は、偏向電極１４が８極子である。従って、電磁界の周辺部分の歪みを少なくできる。同様に、偏向コイル１３を多極子とすることも可能である。
【００４１】
図７は、図６の（ｂ）に示す電磁界の発生に好適な偏向コイル１３と偏向電極１４の制御例である。なお、図６の（ｂ）では、走査用の偏向コイル１３が独立した４つのコイルで実現されるように表しているが、通常は、対向する偏向コイル１３を同じコイル線を使って同方向に磁界が形成されるように製作する。従って、図７では、ｘ軸方向とｙ軸方向の２方向の出力電流についてのみ示している。
【００４２】
図７の（ａ）及び（ｂ）に示すように、一次電子線４が試料１０を走査してＳＥＭ像を得るためのコイル電流は、ｘ軸方向とｙ軸方向を独立に制御した三角波で表される。ただし、実施例に係る走査重畳型ＥｘＢ偏向器の制御には、走査用のコイル電流にオフセット電流を加算する必要がある。図６の（ｂ）の場合には、ｙ軸方向に二次信号電子を偏向する。このため、図７の（ａ）に示すように、ｘ軸方向に対面する偏向コイル１３にのみオフセット電流を重畳している。
【００４３】
また、ｙ軸方向に二次信号電子を偏向するため、図７の（ｃ）〜（ｆ）に示すように、ｙ軸方向に対面する位置の偏向電極１４にはオフセット電圧を印加するが、ｘ軸方向に対面する位置の偏向電極１４にはオフセット電圧を印加しない。
【００４４】
なお、走査重畳形ＥｘＢ偏向器は、偏向コイル１３と同じ位置に別のコイルを重ね巻きすることによっても実現できる。すなわち、オフセット電流専用コイルと走査電流専用コイルを重ね巻きし、各コイルに別々の磁界を発生させることも可能である。ただし、偏向コイル制御電源３３を用い、走査用の信号電流（三角波）にオフセット電流を重畳する方がコスト的にも容易である。
【００４５】
（まとめ）
以上説明したように、本実施例に係る走査重畳形ＥｘＢ偏向きをＳＥＭに実装することにより、従来装置と同じ鏡体長を有するＳＥＭでありながら、二次信号電子２３の検出ロスを低減できる。すなわち、小型でありながら高効率の二次信号検出系を実現でき、ＳＥＭ像の品質を高めることができる。また、二次信号電子２３の検出ロスを高める構成を採用する従来装置に比べ、鏡体長を短縮できる。このため、ＳＥＭの小型化と振動特性などの対環境性能を向上できる。
【００４６】
また、偏向電極１４に印加する電圧と偏向コイル１３に供給する電流の制御により、任意の方向に二次信号電子２３を偏向できるため、信号検出器１７の筐体内における配置上の自由度を高めることができる。この自由度の向上は、鏡体長を短縮するのに有利である。
【００４７】
（実施例２）
この実施例では、二次信号電子２３を直接偏向する直接型検出系を有するＳＥＭを説明する。図８に、本実施例に係るＳＥＭのうち二次信号検出系のみを示す。すなわち、不図示の構成部分は、図１に示す構成と同じである。
【００４８】
この実施例の場合、信号検出器１７は、例えばシンチレータ、ライトガイド及びフォトマルチプライヤで構成される検出器でも、半導体検出器などを用いて直接検出するタイプの検出器でも良い。ただし、信号検出器１７の検出面は、少なくとも二次信号電子２３の広がりよりも大きいことが必要である。この条件を満たす限り、信号検出ロスは発生しないため、Ｓ／Ｎの高いＳＥＭ像を取得できる。
【００４９】
しかも、本実施例の場合には、図８に示すように、対物レンズ７の近傍に位置する走査用の偏向コイル１３を使って走査重畳型ＥｘＢ偏向器を実現できる。このため、従来装置（図４）に比して、二次信号電子２３を光軸から離軸するのに必要な距離の確保が容易になる。このため、従来装置と同じ鏡体長であれば、信号検出器１７の配置位置の自由度を高めることができる。また、本実施例に係る構成を採用すれば、従来装置（図４）では必要であったＥｘＢ偏向器１６を無くすことができる。このため、従来装置（図４）に比して鏡体の小型化を実現できる。
【００５０】
（実施例３）
本実施例では、実施例２の変形例について説明する。本実施例は、特に高倍率での高分解能観察が必用となる場合に用いて好適な実施例である。なお、以下に説明する制御技術は、実施例１に係る間接型検出系のＳＥＭにも適用できる。
【００５１】
図９に、本実施例に係るＳＥＭのうち二次信号検出系のみを示す。なお、本実施例においては、２つの走査重畳型ＥｘＢ偏向器により二次信号電子２３を２段階に偏向する制御方式を採用する。従って、本実施例と実施例２の装置構成は同じであり、走査重畳型ＥｘＢ偏向器を構成する偏向コイル１３及び偏向電極１４の制御方法だけが異なる。
【００５２】
高倍率での高分解能観察が必用となる場合、一段の走査重畳型ＥｘＢ偏向器だけを使用すると、当該偏向器で発生する一次電子線４の色収差の影響で分解能の劣化が顕著になる。
【００５３】
そこで、２段目の走査重畳型ＥｘＢ偏向器を配置し、色収差を打消すように制御する手法を提案する。色収差を打ち消すことにより、分解能の劣化を抑制することが可能になる。
【００５４】
色収差を打消すためには、二段の走査重畳型ＥｘＢ偏向器を、同様に制御することが理想である。しかし、二段の走査重畳型ＥｘＢ偏向器を同様に制御した場合、二次信号電子２３の軌道は光軸に対して平行になる。この場合、上下段の走査重畳型ＥｘＢ偏向器の距離が離れていなければ、十分な離軸量を確保することができない。このことは、構造上の制約により、信号検出器１７を配置できない事態が生じ得ることを意味する。
【００５５】
そこで、色収差の増加がＳＥＭ像の分解能に影響を与えない範囲で、二次信号電子２３の軌道を上下段の走査重畳型ＥｘＢ偏向器で制御することを検討する。この実施例では、試料１０側に位置する下段（１段目）の走査重畳型ＥｘＢ偏向器による偏向角Θ１が、陰極１（電子源）側に位置する上段（２段目）の走査重畳型ＥｘＢ偏向器による偏向角Θ２と同じかそれよりも大きく（Θ１≧Θ２）なるように偏向角を設定する。なお、偏向角Θ１とΘ２の偏向方向は逆向きに設定する。この場合、色収差を小さくして分解能の劣化を抑制しながらも、信号検出器１７を配置できるだけの自由度を高めることができる。勿論、偏向角Θ１と偏向角Θ２の関係を最適化することにより、信号検出器１７の配置位置の自由度をより高めることができる。
【００５６】
なお、一次電子線４が高エネルギーに加速されるために色収差の影響を受け難い場合や、低倍率時であって一次電子線４のビームスポット径の増加がＳＥＭ分解能に対して無視できるような場合には、偏向角Θ１の偏向方向と偏向角Θ２の偏向方向を同じ方向に揃えることにより、二次信号電子２５を一次電子線４の光軸に対して大きく偏向することもできる。勿論、色収差の影響を受け難い場合にも、偏向角Θ１の偏向方向と偏向角Θ２の偏向方向を逆向きに制御しても良い。いずれにしても、色収差の影響を受け難い場合には、二次信号電子の変更可能な角度を大きくできるため、信号検出器１７の配置位置の自由度を更に高めることが可能になる。
【００５７】
（実施例４）
本実施例では、実施例２の装置構成を前提に、走査重畳型ＥｘＢ偏向器を用いたイメージシフト動作について説明する。従って、後述する説明は、実施例１に係る間接型検出系のＳＥＭにも適用できる。
【００５８】
図１０に、走査重畳型ＥｘＢ偏向器を用いたイメージシフト動作の概念を示す。図１０の場合にも、本実施例に係るＳＥＭのうち二次信号検出系のみを示している。
【００５９】
視野移動のために走査用の偏向コイル１３を使用してイメージシフト動作する場合、一次電子線４の中心軌道は、図１０に実線で示すように折れ曲がった軌道を通る。このとき、二次信号電子２１には、図１０に示すように、対物レンズ７の磁界、リターディング電位、ブースティング電極の電界が作用する。これら磁界及び電界の作用により、二次信号電子２１は集束されながら対物レンズの上方へと進行する。さらに、二次信号電子２１には、一次電子線４のイメージシフト動作用に形成される電界又は磁界（すなわち、偏向コイル１３で形成される磁界又は偏向電極１４で形成される電界）が作用し、更に偏向された軌道を通る。
【００６０】
一次電子線４のイメージシフト時に偏向コイル１３による磁界を用いるか、偏向電極１４による電界を用いるかにより、二次信号電子２１には異なる方向に力が作用する。結果的に、二次信号電子２１が通る軌道は、作用する力の方向により変化する。このため、信号検出器１７が二次信号電子２１を検出できない場合が生じ得る。
【００６１】
しかし、本実施例に係る走査重畳型ＥｘＢ偏向器の場合には、実施例３で説明したように、二次信号電子の軌道制御が容易である。従って、一次電子線４のイメージシフト動作を磁界と電界のいずれを用いるかによらず、二次信号電子を信号検出器１７に導くように偏向角を制御することができる。すなわち、イメージシフトに伴い発生する電界又は磁界に応じ、二次信号電子にのみ作用する偏向の方向と偏向角を制御することにより、常に、二次信号電子２３が信号検出器１７に入射するように軌道を制御できる。
【００６２】
もっとも、一次電子線４のイメージシフト量が多い場合やイメージシフト位置が異なる場合には、二次信号電子２１の軌道も大きく変化する。このため、一つの信号検出器１７だけで、イメージシフトの動作領域に対応することは困難な場合もある。このような場合には、複数の信号検出器１７を鏡体内に配置し、イメージシフト動作の実行位置及びシフト量に応じて二次信号電子２３の検出に使用する信号検出器１７を切り替えても良い。
【００６３】
また、走査重畳型ＥｘＢ偏向器による二次信号電子２３の偏向量が大きく、一次電子線４の色収差の影響が懸念される場合には、複数の信号検出器１７を光軸周りの内外に配置し、シフト量に応じて検出に使用する信号検出器１７を使い分けることが望ましい。例えばイメージシフト量が小さい場合には光軸に近い側（内側）の信号検出器１７により二次信号電子２３を検出し、イメージシフト量が大きい場合には光軸に遠い側（外側）の信号検出器１７により二次信号電子２３を検出しても良い。
【００６４】
（実施例５）
本実施例でも、実施例２の変形例を説明する。すなわち、直接型検出系を実装するＳＥＭについて説明する。図１１に、本実施例に係るＳＥＭのうち二次信号検出系のみを示す。すなわち、不図示の構成部分は、図１に示す構成と同じである。
【００６５】
本実施例は、走査重畳型ＥｘＢ偏向器を二次信号電子２３の信号分別に使用する例である。走査重畳型ＥｘＢ偏向器によって離軸された二次信号電子は、実際には、放出角度及び放出エネルギーに応じた広がりを持つ。特に、高エネルギーの二次電子や反射電子は、試料１０から放出された方向を維持する。このため、高エネルギーを選択的に検出することで、試料１０の凹凸情報を取得することができる。
【００６６】
図１１では、信号検出器１７の前段に、負電圧を印加したエネルギーフィルタ２６を配置する。エネルギーフィルタ２６には負電圧が印加されている。ここで、エネルギーフィルタ２６は板状の金属導体で構成され、二次信号電子２３の拡がりよりも小さいサイズの孔を有している。このため、二次信号電子２３のうち低エネルギー側の二次信号電子２３はカットされ、高エネルギー側の二次信号電子２３だけが孔を通過して信号検出器１７に到達する。
【００６７】
前述の通り、試料１０から方向性を持って放出された高エネルギーの二次信号電子２３はその方向性を維持している。そこで、本実施例では、実施例２〜４に示した走査重畳型ＥｘＢ偏向器の制御技術を応用し、二次信号電子２３にだけ作用する偏向量を連続的に制御する。すなわち、一次電子線４に影響を与えないように、二次信号電子２３をエネルギーフィルタ２６の表面に沿って走査させる。すると、特定の方向成分を有する（すなわち、高エネルギーを有する）二次信号電子２３だけを選択的に信号検出器１７において検出することができる。これにより、試料表面の凹凸情報を得ることができる。
【００６８】
（実施例６）
本実施例においても、実施例２の変形例について説明する。図１２に、走査重畳型ＥｘＢ偏向器を用いたイメージシフト動作の概念を示す。図１２の場合にも、本実施例に係るＳＥＭのうち二次信号検出系のみを示している。
【００６９】
本実施例は、エネルギーが異なる二次信号電子を分別するための制御技術に対応する。試料１０から放出される二次信号電子２３は、放出エネルギーの違いにより、走査重畳型ＥｘＢ偏向器で受ける偏向角度が大きく異なる。このため、低エネルギー側の二次信号電子２８と高エネルギー側の二次信号電子２９は、図示するように分離される。そこで、低エネルギー側の信号検出器１７を光軸に近い側（内側）に配置し、高エネルギー側の信号検出器２７を光軸から遠い側（外側）に配置する。配置位置は、エネルギーの違いに応じた偏向角に基づいて決定する。このように、複数の信号検出器１７を一次信号線４の光軸からの距離を変えて配置することにより、二次信号電子が有するエネルギーの分別を簡単に実現できる。
【００７０】
なお、走査重畳型ＥｘＢ偏向器により二次信号電子を大きく偏向すると、色収差が大きくなる。色収差の影響が大きい場合には、図１３に示すように、従来型のＥｘＢ偏向器１６を併用して色収差を抑制させても良い。
【符号の説明】
【００７１】
１…陰極
２…第一陽極
３…第二陽極
４…一次電子線
５…集束レンズ
６…集束レンズ
７…対物レンズ
８…絞り板
９…反射板
１０…試料
１１…試料台
１２…二次信号電子（中心軌道）
１３…偏向コイル
１４…偏向電極
１５…変換二次電子
１６…電磁界直交型偏向器（ＥｘＢ偏向器）
１７…信号検出器
１８…信号増幅器
１９…加速電極
２０…第二の電磁界直交型偏向器(ＥｘＢ偏向器)
２１…偏向する前の二次信号電子（中心軌道）
２２…偏向する前の二次信号電子群
２３…偏向した後の二次信号電子（中心軌道）
２４…偏向した後の二次信号電子群
２５…大きく偏向した後の二次信号電子の中心軌道
２６…エネルギーフィルタ
２７…第２の検出器、
２８…低エネルギー側の二次信号電子の中心軌道
２９…高エネルギー側の二次信号電子の軌道
３０…高電圧制御電源
３１…集束レンズ制御電源
３２…集束レンズ制御電源
３３…偏向コイル制御電源
３４…偏向電極制御電源
３６…対物レンズ制御電源
３７…試料印加電源
３８…加速電極電源
４０…制御演算装置
４１…画像メモリ
４２…像表示装置
４３…記憶装置
【図１】
0005519421.tif 000002
【図２】
0005519421.tif 000003
【図３】
0005519421.tif 000004
【図４】
0005519421.tif 000005
【図５】
0005519421.tif 000006
【図６】
0005519421.tif 000007
【図７】
0005519421.tif 000008
【図８】
0005519421.tif 000009
【図９】
0005519421.tif 000010
【図１０】
0005519421.tif 000011
【図１１】
0005519421.tif 000012
【図１２】
0005519421.tif 000013
【図１３】
0005519421.tif 000014